(57)【要約】      （修正有）【課題】通常は収納して無駄なスペースを解消し、必要に応じて天板のスペースを広げうるようにし、天板の下面に拡張テーブルと引き出しを設けて便利にする拡張テーブルを提供する。【解決手段】天板２と天板２の幅方向両端下部に連結した両脚部３a、３bと天板２下部に収納した補助天板４と補助天板４の下部に取り付けた引き出し５と補助天板４の引き出し幅を超えた補助天板４の下部に収納ボックス６を備えてなり、補助天板４の一端部を天板２のいずれかの端側に回転軸にて枢着・支持し、補助天板４を回転させて両天板にて天板面積を拡張させると共に、引き出し５をいずれの方向にも引き出し可能とした。【選択図】図１
2012120611.tif 000002
【特許請求の範囲】
【請求項１】
天板と該天板の幅方向両端下部に連結した両脚部と前記天板下部に収納した補助天板と該補助天板の下部に取り付けた引き出しと前記補助天板の引き出し幅を超えた補助天板の下部に収納ボックスを設けてなり、前記補助天板の一端部を前記天板の何れかの端側へ回転軸にて枢着し、前記補助天板の他端部を前記収納ボックス上の固定軸にて枢着・支持し、前記補助天板を回転させて両天板にて天板面積を拡張させるようにしたことを特徴とする拡張テーブル。
【請求項２】
天板と該天板の幅方向両端下部に連結した両脚部と前記天板下部に収納した補助天板と該補助天板の下部に取り付けた引き出しと前記両脚部の一方の内側に取り付けた収納ボックスを設け、前記補助天板の一端に補助脚部を設け、前記補助天板の何れかの端側へ前記天板に回転軸にて枢着し、前記補助天板を回転させて両天板にて天板面積を拡張させるようにしたことを特徴とする拡張テーブル。
【請求項３】
天板と該天板の幅方向両端下部に連結した両脚部と前記天板下部に収納した補助天板と該補助天板の下部に取り付けた引き出しと前記補助天板の一端に補助脚部を設け、前記補助天板の何れかの端側へ前記天板に回転軸にて枢着し、前記補助天板を回転させて両天板にて天板面積を拡張させるようにしたことを特徴とする拡張テーブル。
【請求項４】
前記補助天板の下部に取り付けた引き出しは、引き出し方向に設けた前板と後板と、前記引き出し方向の両側に設けた右側板と左側板と前記前板と後板と右側板と左側板とで囲まれた底板とからなり、前記左右側板に設けた凸条に嵌合する凹溝を設けた左右受桟を前記補助天板の下部に前記左右側板と平行して設け、前記引き出しを両方向に引き出し可能にしたことを特徴とする請求項１  ないし請求項３のいずれに記載の拡張テーブル。
【請求項５】
前記引き出しの左右の一方の側板の前板側に第１ストッパを、他方の側板の後板側に第２ストッパを設けると共に、左右の一方の受桟の後板側に第１プレートを、他方の受桟の前板側に第２プレートを設けた請求項１ないし請求項４のいずれに記載の拡張テーブル。
【請求項６】
前記ストッパの厚みは前記プレートの厚みより厚く形成されている請求項１ないし請求項５のいずれに記載の拡張テーブル。
【発明の詳細な説明】
【技術分野】
【０００１】
本発明は、拡張テーブルに係るものであり、更に詳しくは、天板のスペ−スが広くなるようにした拡張テーブルに関するものである。
【背景技術】
【０００２】
学童机や学生・大人用のデスクを使用する場合、パソコンや各種の物品をテーブル上に置いて、使い勝手を良くしたいという要望がある。しかし、天板の決められた面積以上には、増やすことができないという問題がある。
【０００３】
天板を回転させて引き出すことのできるテーブルとしては、例えば特許文献１、特許文献２、特許文献３に記載された先行技術がある。特許文献１に記載されたものは、垂下状態にある天板を、上部の一端に回転させて広げるようにしたものである。特許文献２に記載されたものは、テーブルの天板を水平方向に回動させて、最適な作業状態が得られるようにしたものである。特許文献３に記載されたものは、メインテーブルに格納したサブテーブルを、回動自在に組み付けた複合テーブルに関するものである。
【特許文献１】実登第３０１８０８９号
【特許文献２】特開２００１−２３８７３４号公報
【特許文献３】特開２００８−７３２４０号公報
【０００４】
また 本出願人が先に出願したものとしては、特許文献４に記載されたものがある。これは、天板の下面に補助天板を設け、補助天板は一端を天板の一端側に回転軸で枢着し、他端を収納ボックスの固定軸に枢着して、補助天板を回転させて天板面積を拡張させるようにしたものである。
【特許文献４】実登第３１５４２２７号公報
【０００５】
しかし何れも、天板面積を増やすことのできるが、従来の引き出しは一方方向しか引き出せないので、補助天板を回転して拡張した場合に、引き出しを引き出す方向が椅子に座っている者と逆の方向になるため不便であった。
【発明の開示】
【発明が解決しようとする課題】
【０００６】
上記の事情に鑑み本発明は、通常は収納して無駄なスペースを解消し、必要に応じて天板のスペースを広げうるようにし、天板の下面に引き出しを設けて便利にし、しかも引き出しを引き出す方向を双方向にしたことにより使い勝手が便利になる拡張テーブルを提供することを課題とする。
【課題を解決するための手段】
【０００７】
本発明は上記目的を達成するために、天板と該天板の幅方向両端下部に連結した両脚部と前記天板下部に収納した補助天板と該補助天板の下部に取り付けた引き出しと前記補助天板の引き出し幅を超えた補助天板の下部に収納ボックスを設けてなり、前記補助天板の一端部を前記天板の何れかの端側へ回転軸にて枢着し、前記補助天板の他端部を前記収納ボックス上の固定軸にて枢着・支持し、前記補助天板を回転させて両天板にて天板面積を拡張させるようにした拡張テーブルを構成するものである。
【０００８】
また本発明は上記目的を達成するために、天板と該天板の幅方向両端下部に連結した両脚部と前記天板下部に収納した補助天板と該補助天板の下部に取り付けた引き出しと前記両脚部の一方の内側に取り付けた収納ボックスを設け、前記補助天板の一端に補助脚部を設け、前記補助天板の何れかの端側へ前記天板に回転軸にて枢着し、前記補助天板を回転させて両天板にて天板面積を拡張させるようにした拡張テーブルを構成するものである。
【０００９】
更に本発明は上記目的を達成するために、天板と該天板の幅方向両端下部に連結した両脚部と前記天板下部に収納した補助天板と該補助天板の下部に取り付けた引き出しと前記補助天板の一端に補助脚部を設け、前記補助天板の何れかの端側へ前記天板に回転軸にて枢着し、前記補助天板を回転させて両天板にて天板面積を拡張させるようにした拡張テーブルを構成するものである。
【００１０】
更にまた本発明は上記目的を達成するために、前記補助天板の下部に取り付けた引き出しは、引き出し方向に設けた前板と後板と、前記引き出し方向の両側に設けた右側板と左側板と前記前板と後板と右側板と左側板とで囲まれた底板とからなり、前記左右側板に設けた凸条に嵌合する凹溝を設けた左右受桟を前記補助天板の下部に前記左右側板と平行して設け、前記引き出しを両方向に引き出し可能にした拡張テーブルを構成するものである。
【００１１】
更にまた、本発明は、前記引き出しの左右の一方の側板の前板側に第１ストッパを、他方の側板の後板側に第２ストッパを設けると共に、左右の一方の受桟の後板側に第１プレートを、他方の受桟の前板側に第２プレートを設けた拡張テーブルを構成するものである。
【００１２】
また更に、本発明は、前記ストッパの厚みは前記プレートの厚みより厚く形成されている拡張テーブルを構成するものである。
【発明の効果】
【００１３】
本発明の拡張テーブルは、物を置いたりして、スペースを広く使いたい場合に、天板の面積を容易に広げることができ、スペースを狭めたい場合には、補助天板を天板の下面に収納することができるとともに、使い勝手の良い方向に、補助天板の向きを変えることができる。
【００１４】
本発明の拡張テーブルは、引き出しは両方向に引き出すことができるので、使い勝手が便利になる。また、天板だけの使用時と天板、拡張テーブル双方の使用時で引き出しの引き出し方向が逆になっても、引き出しにストッパを設け、受桟を補助天板の下部に設けて、引き出しを双方向に引き出しても落下しないようにすることができる。
【００１５】
本発明の拡張テーブルは、引き出しの左右の一方の側板の前板側に第１ストッパを、他方の側板の後板側に第２ストッパを設けると共に、左右の一方の受桟の後板側に第１プレートを、他方の受桟の前板側に第２プレートを設け、前記ストッパの厚みは前記プレートの厚みより厚く形成されているので、必要以上に引き出しが引き出せることがない。
【発明を実施するための最良の形態】
【００１６】
以下、本発明の実施例を図面に基づいて詳しく説明する。
【実施例１】
【００１７】
図１は、本発明の一実施例を示す拡張テーブルで、（イ）は閉じた状態を示す斜視図、（ロ）は拡張した状態を示す斜視図である。図２は、同テーブルを上から見た平面図で、（イ）は閉じた状態を示す平面図、（ロ）は拡張した状態を示す平面図である。
【００１８】
本実施例の拡張テーブル１は、天板２と天板２の幅方向両端下部に連結した両脚部３ａ，３ｂと天板２の下部に天板２の何れかの端側へ回転軸４１にて枢着した補助天板４と補助天板４の下部に取り付けた引き出し５と補助天板４の引き出し幅を超えた補助天板４の下部に回転軸６１にて枢着した収納ボックス６を設けている。
図１（ロ）、図２（ロ）に示すように、補助天板４の一端部を天板２の何れかの端側へ回転軸４１にて枢着し、補助天板４の他端部を収納ボックス６上の固定軸６１にて枢着・支持し、補助天板４を回転させて天板２の面積を拡張させるようにしている。そして天板２の下面の補助天板４は、天板の幅Ｌ以内の長さに設定されている。
【００１９】
この補助天板４は、一端を天板幅Ｌ方向の何れかの端側、本実施例の場合は右端側で、回転軸４４に枢着している。具体的には、補助天板４の回転軸４１が、天板２下面の軸穴２１内に枢着している。そのため、補助天板４の一端は、円弧状４２にして、回転に支障のないようにしている。そして、図3に示すように、補助天板４の他端は、収納ボックス６上の固定軸６１に枢着している。即ち、収納ボックス６上の固定軸６１が、補助天板４下面の軸穴４２内に枢着している。
【００２０】
収納ボックス５の下端には、車輪６２が設置されているので回転し、補助天板４の他端を支持させることができる。このようにして、天板２の他に、手前に引き出した補助天板４とよって、天板面積を必要に応じて拡張させることができる。
【００２１】
図４は、本発明の実施例を示す引き出しの上面図、図５は引き出しの正面図、図６は引き出しの側面図、図７は引き出しの分解斜視図である。
【００２２】
本実施例の拡張テーブル１において、補助天板４の下部に引き出し５を取り付けている。引き出し５は引き出し方向に設けた前板５１と後板５２と、引き出し方向の両側に設けた右側板５３と左側板５４と前板５１と後板５２と右側板５３と左側板５４とで囲まれた底板５５とからなり、左右側板５３，５４に凸条５６を設けている。左右側板５３，５４に対向して凸条５６に嵌合する凹溝７３を設けた右受桟７１と左受桟７２を左右側板５３，５４と平行して補助天板４の下部に設け、引き出し５を両方向に引き出し可能にしている。
【００２３】
引き出し５の右側板５３の後板５２側に第１ストッパ５７を設け、左側板５４の前板５１側に第２ストッパ５８を設けると共に、右受桟７１の前板５１側に第１プレート７４を設け、左受桟７２の後板５２側に第２プレート７５を設けている。
【００２４】
図８に示すように、第１ストッパ５７、第２ストッパ５８はねじ５９で右側板５３、左側板５４の下方から所定の位置に固定する。また、第１プレート７４、第２プレート７５もねじ７６ａ，７６ｂで右受桟７１、左受桟７２の下方から所定の位置に固定する。なお、第１ストッパ５７、第２ストッパ５８の厚みは第１プレート７４、第２プレート７５の厚みより厚く形成されている。
【００２５】
第１プレート７４、第２プレート７５はねじ７６ａ，７６ｂで右受桟７１、左受桟７２の下方から所定の位置に固定する固定部分７４１，７５１は厚みが厚く、引き出し５の前板５１、後板５２及び底板５５が通過する部分７４２，７５２は厚みが薄く形成されている。
【００２６】
このようにして、天板２の他に、手前に引き出した補助天板４によって、天板面積を必要に応じて拡張させることができる。また収納ボックス６は、使いやすい任意の位置の向きに置くことができる。
【００２７】
引き出し５は前板５１方向に引き出すときは、第１プレート７４に第１ストッパ５７が当接するところまで引き出すことができ、後板５２方向に引き出すときは、第２プレート７５に第２ストッパ５８に当接するところまで引き出すことがでことができる。
【００２８】
引き出しを図６に示す前板５１のＡ面位置、後板５２のＢ面位置のように所定位置に収納したい場合には、補助天板４の下面と前板５１または後板５２の上面の所定位置に対向してマグネットを取り付けてもよい。
【実施例２】
【００２９】
図９は、本発明第２の実施例を示す拡張テーブルで、拡張した状態を示す斜視図である。
【００３０】
本実施例の拡張テーブル１は、天板２と天板２の幅方向両端下部に連結した左脚部３ａと右脚部３ｂと天板２の下部に天板２の何れかの端側へ回転軸にて枢着した補助天板４と補助天板４の一端に垂下し、車輪６２が設置されている補助脚部１０と補助天板４の下部に取り付けた引き出し５と引き出し５の下部であって補助天板４側の左脚部３ａに取り付けられた収納ボックス６を設けている。なお、補助天板４は図９に示すものに限らず、収納ボックス６は補助天板４側に取り付けられ、補助天板４が天板２の右側へ回転軸にて枢着されているときは、右脚部３ａに取り付けられている。
【００３１】
実施例１の拡張テーブル１と同様に、補助天板４の一端部を天板２の何れかの端側へ回転軸にて枢着し、補助天板４の他端部を補助脚部１０とともに回転させて天板２の面積を拡張させるようにしている。そして天板２の下面の補助天板４は、天板の幅Ｌ以内の長さに設定されている。
【００３２】
その他の構造は実施例１の拡張テーブルと同様である。補助脚部１０の下端には、車輪６２が設置されているので回転し、補助天板４の他端を支持させることができる。このようにして、天板２の他に、手前に引き出した補助天板４とよって、天板面積を必要に応じて拡張させることができる。
【実施例３】
【００３３】
図１０は、本発明の第３の実施例を示す拡張テーブルで、拡張した状態を示す斜視図である。
【００３４】
本実施例の拡張テーブル１は、天板２と天板２の幅方向両端下部に連結した左脚部３ａと右脚部３ｂと天板２の下部に天板２の何れかの端側へ回転軸にて枢着した補助天板４と補助天板４の一端に垂下し、車輪１１が設置されている補助脚部１０と補助天板４の下部に取り付けた引き出し５とを設けている。
【００３５】
実施例２の拡張テーブル１と同様に、補助天板４の一端部を天板２の何れかの端側へ回転軸にて枢着し、補助天板４の他端部を補助脚部１０とともに回転させて天板２の面積を拡張させるようにしている。そして天板２の下面の補助天板４は、天板の幅Ｌ以内の長さに設定されている。
【００３６】
その他の構造は実施例１、２の拡張テーブルと同様である。補助脚部１０の下端には、車輪１１が設置されているので回転し、補助天板４の他端を支持させることができる。このようにして、天板２の他に、手前に引き出した補助天板４とよって、天板面積を必要に応じて拡張させることができる。
【産業上の利用可能性】
【００３７】
本発明の拡張テーブルは、スペースを必要に応じて広くすることができるため、学童机や学生・大人用のデスクに、事務機器の増える今日、広く使用することのできるものである。
【００３８】
本発明の拡張テーブルは、引き出しを引き出す方向を双方向にしたことにより使い勝手が便利になる拡張テーブルを提供することができる。
【図面の簡単な説明】
【００３９】
【図１】本発明の一実施例を示す拡張テーブルで、（イ）は閉じた状態を示す斜視図、（ロ）は拡張した状態を示す斜視図である。
【図２】図１のテーブルを上から見たもので、（イ）は閉じた状態を示す平面図、（ロ）は拡張した状態を示す平面図である。
【図３】本実施例の拡張テーブルに使用される収納ボックスの正面図である。
【図４】本発明の実施例を示す拡張テーブルの上面図である。
【図５】拡張テーブルの正面図である。
【図６】拡張テーブルの側面図である。
【図７】拡張テーブルの分解斜視図である。
【図８】（イ）は第１プレート、第２プレートの斜視図、（ロ）はストッパの斜視図である。
【図９】本発明の第２の実施例を示す拡張テーブルで拡張した状態を示す斜視図である。
【図１０】本発明の第３の実施例を示す拡張テーブルで拡張した状態を示す斜視図である。
【符号の説明】
【００４０】
１     拡張テーブル
２     天板
３ａ，３ｂ 脚部
４      補助天板
５    引き出し
６    収納ボックス
７１  右受桟
１０  補助脚部
【図１】
2012120611.tif 000003
【図２】
2012120611.tif 000004
【図３】
2012120611.tif 000005
【図４】
2012120611.tif 000006
【図５】
2012120611.tif 000007
【図６】
2012120611.tif 000008
【図７】
2012120611.tif 000009
【図８】
2012120611.tif 000010
【図９】
2012120611.tif 000011
【図１０】
2012120611.tif 000012